(57)【特許請求の範囲】
【請求項１】
板状をなす回路構成体をハウジング内に収容してなる電気接続箱であって、前記ハウジングは前記回路構成体の一方の側縁側を固定して保持する第１部材と、この第１部材に組み付けられて前記回路構成体の他方の側縁側及び両面側を覆う第２部材とからなるものにおいて、
前記第１部材及び前記第２部材の組み付け部分には、前記両部材から互いに相手側に向けて延びる複数の嵌合壁部が形成され、
前記嵌合壁部は、前記第１部材のうち前記回路構成体を保持する本体部から前記第２部材に向けて延びる複数の第１部材側嵌合壁部と、前記第２部材の側壁の内面から突出して前記第１部材に向けて延びる複数の第２部材側嵌合壁部と、を備え、
前記第１部材側嵌合壁部と、前記第２部材側嵌合壁部とを互いに摺接させて前記両部材の組み付けが行われている電気接続箱。
【請求項２】
前記第１部材及び前記第２部材のうちの一方には弾性ロック片が設けられると共に、その弾性ロック片と相手側部材とには互いに係合して前記両部材を組み付け状態に保持するロック突部及びロック凹部が形成され、かつ、前記ロック突部には前記両部材の組み付けに伴って前記弾性ロック片を弾性変形させる案内斜面が形成されている請求項１記載の電気接続箱。
【請求項３】
前記ハウジングはほぼ直方体状をなすと共に前記弾性ロック片は前記ハウジングの対向する二面に形成され、
前記第２部材側嵌合壁部は、前記第２部材の側壁のうち前記弾性ロック片が形成された対向する二面の内面から前記第１部材に向けて突出して形成されており、
前記各嵌合壁部の摺接面は前記ハウジングの対向する二面とほぼ平行な面に設定されている請求項２記載の電気接続箱。
【請求項４】
少なくとも一方の部材に設けた前記嵌合壁部は、縦横に組み合わされた形状で構成されている請求項１ないし請求項３のいずれかに記載の電気接続箱。
【請求項５】
前記第１部材及び前記第２部材の各嵌合壁部のうち一方は、他方の嵌合壁部の両側に摺接する位置に設けられている請求項１ないし請求項４のいずれかに記載の電気接続箱。
【請求項６】
前記回路構成体は、回路基板とこれに貼り付けたバスバーとを備えると共に、そのバスバーは前記回路基板の側縁から並んで延出された延出部を備え、前記第１部材は前記回路構成体から突出する前記バスバーの前記延出部を貫通させて雄コネクタとして構成するコネクタハウジングであり、前記第２部材は前記コネクタハウジングによって開口を塞がれるケースである請求項１ないし請求項５のいずれかに記載の電気接続箱。
【発明の詳細な説明】
【技術分野】
【０００１】
本発明は、電気接続箱に関する。
【背景技術】
【０００２】
従来より、車両に搭載されて車載電装品の通断電を制御する電気接続箱として、板状の回路構成体をハウジング内に収容してなるものが知られている（特許文献１参照）。
【特許文献１】特開２００３−１６４０３９公報
【発明の開示】
【発明が解決しようとする課題】
【０００３】
ところで、電気接続箱として、例えばハウジングが互いに組み付けられる第１及び第２部材からなり、第１部材は回路構成体の一方の側縁側を固定して保持し、この第１部材と第２部材とを付き合わせるように組み付けることで、回路構成体の他方の側縁側及び両側を第２部材により覆うようになっているものが考えられる。この構成によれば、回路構成体の固定作業を第１部材に対してのみ行えばよいから、製造効率を向上させることができる。
【０００４】
しかしながら上記の構成によると、両部材の付き合わせ部分を支点として第１部材及び第２部材が互いに揺動するように相対変位し、第１部材に固定された回路構成体の他方の側縁側が第２部材の内面と衝突するおそれがある。
【０００５】
本発明は上記のような事情に基づいて完成されたものであって、ハウジングを構成する第１部材及び第２部材が互いに揺動するように相対変位することを防止可能な電気接続箱を提供することを目的とする。
【課題を解決するための手段】
【０００６】
上記の目的を達成するための手段として、請求項１の発明は、板状をなす回路構成体をハウジング内に収容してなる電気接続箱であって、前記ハウジングは前記回路構成体の一方の側縁側を固定して保持する第１部材と、この第１部材に組み付けられて前記回路構成体の他方の側縁側及び両面側を覆う第２部材とからなるものにおいて、前記第１部材及び前記第２部材の組み付け部分には、前記両部材から互いに相手側に向けて延びる複数の嵌合壁部が形成され、前記嵌合壁部は、前記第１部材のうち前記回路構成体を保持する本体部から前記第２部材に向けて延びる複数の第１部材側嵌合壁部と、前記第２部材の側壁の内面から突出して前記第１部材に向けて延びる複数の第２部材側嵌合壁と、を備え、前記第１部材側嵌合壁部と、前記第２部材側嵌合壁部とを互いに摺接させて前記両部材の組み付けが行われている。
【０００７】
請求項２の発明は、請求項１記載のものにおいて、前記第１部材及び前記第２部材のうちの一方には弾性ロック片が設けられると共に、その弾性ロック片と相手側部材とには互いに係合して前記両部材を組み付け状態に保持するロック突部及びロック凹部が形成され、かつ、前記ロック突部には前記両部材の組み付けに伴って前記弾性ロック片を弾性変形させる案内斜面が形成されていることを特徴とする。
【０００８】
請求項３の発明は、請求項２記載のものにおいて、前記ハウジングはほぼ直方体状をなすと共に前記弾性ロック片は前記ハウジングの対向する二面に形成され、前記第２部材側嵌合壁部は、前記第２部材の側壁のうち前記弾性ロック片が形成された対向する二面の内面から前記第１部材に向けて突出して形成されており、前記各嵌合壁部の摺接面は前記ハウジングの対向する二面とほぼ平行な面に設定されていることを特徴とする。
【０００９】
請求項４の発明は、請求項１ないし請求項３のいずれかに記載のものにおいて、少なくとも一方の部材に設けた前記嵌合壁部は、縦横に組み合わされた形状で構成されていることを特徴とする。
【００１０】
請求項５の発明は、請求項１ないし請求項４のいずれかに記載のものにおいて、前記第１部材及び前記第２部材の各嵌合壁部のうち一方は、他方の嵌合壁部の両側に摺接する位置に設けられていることを特徴とする。
【００１１】
請求項６の発明は、前記回路構成体は、請求項１ないし請求項５のいずれかに記載のものにおいて、回路基板とこれに貼り付けたバスバーとを備えると共に、そのバスバーは前記回路基板の側縁から並んで延出された延出部を備え、前記第１部材は前記回路構成体から突出する前記バスバーの前記延出部を貫通させて雄コネクタとして構成するコネクタハウジングであり、前記第２部材は前記コネクタハウジングによって開口を塞がれるケースであることを特徴とする。
【発明の効果】
【００１２】
＜請求項１の発明＞
請求項１の発明によれば、第１部材及び第２部材は、互いに相手側に向けて延びる嵌合壁部同士が摺接する状態で組み付けられるから、第１部材及び第２部材に形成された両嵌合壁部が互いに支持しあうことで、第１部材及び第２部材が互いに組み付け部分を支点として揺動するように相対変位することを防止できる。
【００１３】
＜請求項２の発明＞
請求項２の発明によれば、第１部材と第２部材との組み付け作業を行うと、組み付け作業の途中で、弾性ロック片は、ロック突部に形成された案内斜面により弾性変形する。さらに組み付け作業が進行すると、弾性ロック片が復帰変形し、弾性ロック片と相手側部材とに形成されたロック突部及びロック凹部が互いに係合することで、第１部材及び第２部材が組み付けられる。
【００１４】
＜請求項３の発明＞
ほぼ直方体をなすハウジングの対向する二面に弾性ロック片が形成されている場合、弾性ロック片が撓み変形することで、第１部材及び第２部材が、弾性ロック片を支点としてハウジングの対向する二面と交差する方向に揺動することが懸念される。
【００１５】
上記の点に鑑み、請求項３の発明では、各嵌合壁部の摺接面を、ハウジングの対向する二面とほぼ平行な面に設定した。これにより、嵌合壁部同士は、ハウジングの対向する二面と交差する方向から当接するから、第１部材及び第２部材が、ハウジングの対向する二面と交差する方向に揺動することを防止できる。
【００１６】
＜請求項４の発明＞
請求項４の発明によれば、縦横に組み合わされた形状で構成された嵌合壁部が設けられた側の部材を補強することができる。
【００１７】
＜請求項５の発明＞
請求項５の発明によれば、嵌合壁部のうち一方は、他方の嵌合壁部の両側に摺接する位置に設けられているから、他方の嵌合壁部の片側にのみ摺接する位置に設けられている場合に比べて、一層強固に嵌合壁部を支持することができる。この結果、第１部材及び第２部材の揺動変位を一層確実に防止することができる。
【００１８】
＜請求項６の発明＞
請求項６の発明によれば、第１部材を雄コネクタとして用いることができる。これにより、雄コネクタを、第１部材とは別体に形成する場合に比べて、部品点数を削減できる。
【００１９】
また、雄コネクタに対して相手方コネクタを挿抜すると、延出部には相手方コネクタの端子との間で摩擦力が働き、大きな力を受ける。この力に抗して相手方コネクタと雄コネクタとを挿抜しようとすると、コネクタハウジングとケースとに大きな力が加わる。
【００２０】
請求項６の発明によれば、このようにコネクタハウジングとケースとに大きな力が加わる場合でも、両部材が、お互いの組み付け部分を支点として揺動するように相対変位することを防止できる。
【発明を実施するための最良の形態】
【００２１】
本発明を車両用の電気接続箱１０に適用した一実施形態について図１ないし図１７を参照して説明する。このものは、バッテリー等の電源（図示せず）とヘッドランプ、ワイパー等の車載電装品（図示せず）との間に接続されて、各種車載電装品の通断電制御を行うようになっている。この電気接続箱１０は、ほぼ扁平な直方体をなすハウジング１１内に回路構成体１２を収容してなる。このハウジング１１は、開口を有すると共に扁平形状をなすケース（本発明に係る第２部材に該当）１３と、この開口を塞ぐと共にフード部１４を備えたコネクタハウジング（本発明に係る第１部材に該当）１５とを備えてなる。ケース１３内には回路構成体１２を埋めるように充填材１６が充填されており、フード部１４を覆うカバー１７がケース１３に取付けられている。この電気接続箱１０は車両（図示せず）に対して任意の姿勢で取り付け可能であり、例えば図１のようにカバー１７を下側に向けた姿勢で車両に取り付けて使用できる。
【００２２】
（ケース）
ケース１３は合成樹脂製であって、扁平な形状をなすと共に下方に開口している。ケース１３の下端部には、図３における左右方向外方に広がって段差部２０が形成されている。段差部２０の外面には、外方に突出するロック爪２１が形成されており、後述するカバー１７のロック爪受け部２２と弾性的に係合することで、ケース１３とカバー１７とが組み付けられるようになっている。段差部２０のうち、図２における右端部は下方に垂下して形成されており、カバー１７が組み付けられたときに図示しない電線を案内するための電線案内部２３とされる。
【００２３】
図３に示すように、ケース１３の段差部２０のうち、図３における左右方向について対向する二側面の下端部には、ケース１３の開口縁から上方にスリット２４が形成されることで外方に撓み変形可能な複数の弾性ロック片２５が形成されている。この弾性ロック片２５には、弾性ロック片２５の肉厚方向に貫通するロック凹部２６が設けられており、後述するコネクタハウジング１５のロック突部２７と係合することで、ケース１３と、コネクタハウジング１５とが組み付けられるようになっている。
【００２４】
（カバー）
カバー１７は合成樹脂製であって、上方に開口を有すると共に、ケース１３の下端部を下方から覆う形状をなしている。カバー１７の下縁部は図２における右方に向けて下方に傾斜して形成されており、カバー１７の下端部のうち図２における右端部には、図示しない電線が導出される電線導出口２８が形成されており（図１参照）、ケース１３の電線案内部２３との間の空間を通って、電線が導出されるようになっている。カバー１７の上端部には、上述したケース１３のロック爪２１と係合するロック爪受け部２２が形成されており、このロック爪受け部２２とロック爪２１とが弾性的に係合することで、ケース１３とカバー１７とが組み付けられるようになっている。
【００２５】
（コネクタハウジング）
コネクタハウジング１５は合成樹脂製であって、図６に示すように、略直方体状をなす本体部３０と、本体部３０のうち図６の左右両端部から上方に延設されて、回路構成体１２とコネクタハウジング１５とを組み付ける際に回路構成体１２をガイドする一対のガイドレール３１とを備えてなる。
【００２６】
本端部３０の外面には、上述したケース１３の弾性ロック片２５と対応する位置に、弾性ロック片２５に設けられたロック凹部２６と係合するロック突部２７が、外方に突設されている。ロック突部２７のうち上面側には、上方に向かうにつれて内方に傾斜する案内斜面５０が形成されている。コネクタハウジング１５とケース１３とを組み付ける際に、案内斜面５０と弾性ロック片２５とが係合して、弾性ロック片２５が案内斜面５０に乗り上げて外方に弾性変形するようになっている。
【００２７】
図３に示すように、本体部３０の下面には下方に開口する複数のフード部１４が形成されており、図示しない相手方コネクタと嵌合可能になっている。相手方コネクタには電線（図示せず）が接続されており、この電線は、ケース１３の電線案内部２３に案内されて、カバー１７の電線案内部２３と電線導出口２８との間から電気接続箱１０の外部に導出されるようになっている。フード部１４の奥壁には、後述する回路構成体１２のバスバー３２の延出部３３が貫通するための挿通孔３４が、上下方向に貫通して形成されている。
【００２８】
本体部３０の上面側には、図４における挿通孔３４の右側縁から上方に延びて、バスバー３２の延出部３３を図４における右方から受ける受板部３５が形成されている。図６に示すように、受板部３５は、図６における本体部３０の左右方向の略全幅に亘って形成されている。
【００２９】
本体部３０の上面のうち、図８における左右両端部寄りの位置には、受板部３５の上端縁から下方に向けて設けられた一対のスリット２４に囲まれた領域に、上方に向けて延びる一対の弾性係合部３６が形成されている。この弾性係合部３６は、図７における左右方向に弾性撓み変形可能になっている。弾性係合部３６の上端部には、図７における左方に突出して係合突部３７が形成されており、回路構成体１２の係合孔３８と係合可能になっている。この弾性係合部３６は裏面側に撓み変形することで、係合孔３８との係合が解除されるようになっている。
【００３０】
受板部３５のうち図３及び図４における左側面からは、左方に突出すると共に上方に延びるリブ４３が形成されている。このリブ４３は、隣り合う挿通孔３４間に形成されており、隣接する延出部３３同士の間に入り込むようになっている。リブ４３は、延出部３３が挿通孔３４に挿入された状態で、加熱、加圧することで図４における左方から圧潰されて延出部３３に密着すると共に受板部３５との間で延出部３３を挟み付けることで、延出部３３の抜け止めを図るようになっている。
【００３１】
ガイドレール３１は上方から見て略コ字状をなしており、このコ字状に囲まれた空間内に回路構成体１２の左右両端部が挿入されて、回路構成体１２を上下方向に案内可能になっている。
【００３２】
本体部３０のうち図１０における右端部には、図１０における上方に開口して、充填材１６をケース１３内に注入するための注入口１８が形成されている。この注入口１８に連通して、注入筒部１９が形成されている。充填材１６は、図９ないし図１０に示すように、注入口１８を上方に向けた姿勢でケース１３内に注入されるようになっており、注入筒部１９は、図１０に示すように、図１０における下方に向けて延設されており、注入筒部１９の図１０における下端縁は、ケース１３のうち図１０における下壁の近傍にまで延びて形成されている。
【００３３】
（回路構成体）
図５に示すように、回路構成体１２は、回路基板３９の表面に例えばプリント配線技術により形成された導電路（図示せず）に電子部品４０を実装し、裏面には複数のバスバー３２を絶縁性の接着層（図示せず）を介して接着してなる。回路基板３９には開口部４１が形成されており、この開口部４１内にはバスバー３２が露出している。開口内には電子部品４０が収容されており、この電子部品４０のうちバスバー３２側の面には接続端子（図示せず）が設けられており、この接続端子とバスバー３２とが接続されるようになっている。また、電子部品４０のうち、図７における下面側には、下方へ延出された後、回路基板３９側に略直角曲げされた複数の接続端子４２が形成されている。図７に示すように、各電子部品４０に設けられた接続端子４２の一部は開口から露出するバスバー３２に接続されており、他の接続端子４２は回路基板３９の表面に形成された導電路に接続されている。
【００３４】
図４に示すように、回路基板３９の下端縁からは、下方に向けてバスバー３２が延出されており、延出部３３とされる。延出部３３の下部は、図３及び図４に示すように、コネクタハウジング１５のフード部１４の奥壁に形成された挿通孔３４内に挿通されて、フード部１４内に突出するようになっており、相手方コネクタと嵌合可能になっている。延出部３３の外表面は挿通孔３４と接するようになっている。
【００３５】
図６及び図８に示すように、回路基板３９及びバスバー３２の双方には、回路構成体１２がコネクタハウジング１５に対して正規位置に保持された状態で、後述する弾性係合部３６の係合突部３７に対応する位置に、係合孔（本発明に係る係合部に該当）３８が形成されている。図７に示すように、この係合孔３８に係合突部３７が係合することで、回路構成体１２が図７における上方への抜け止めがなされる。そして、回路基板３９は、コネクタハウジング１５に一体に形成された弾性係合部３６と係合することで、コネクタハウジング１５に固定された状態になっている。
【００３６】
図５に示すように、延出部３３のうち回路基板３９寄りの位置には、隣接する延出部３３のうち互いに対向する面に、係合凹部４４が形成されている。図６に示すように、リブ４３が圧潰されることで、リブ４３は係合凹部４４内に膨出し、リブ４３と係合凹部４４とが係合して延出部３３の抜け止めが図られるようになっている。
【００３７】
図３及び図４に示すように、ケース１３内には、延出部３３を残して回路基板３９の全体を埋める充填材１６が充填されている。充填材１６により回路基板３９全体が埋められることで、回路構成体１２の防水が図られる。充填材１６は、図１０に示すように、ケース１３を下側にし、コネクタハウジング１５を上側にした姿勢でケース１３内に充填されるようになっている。
【００３８】
さて、図１４に示すように、ケース１３の側壁のうち図１４における上下方向について対向する二面の内面には、段差部２０との略境界部分に、図１４における右斜め手前側に延びる複数の（図示７つ）ケース側嵌合壁部５１が形成されており、後述するコネクタハウジング側嵌合壁部５２と摺接しながら、ケース１３とコネクタハウジング１５との組み付けが行われるようになっている。ケース側嵌合壁部５１のうち図１４における右上端に位置するものと、図１４における左上端に位置するものを除いて、各ケース側嵌合壁部５１の左右両端縁は、図１４における上方又は下方に曲げ形成されている。ケース側嵌合壁部５１の摺接面は、図１４における左右方向に沿う面（ケース１３のうち弾性ロック片２５が形成された対向する二面に平行な面）及び上下方向に沿う面となっている。
【００３９】
一方、図１１に示すように、本体部３０の上面（図１１における右手前側の面）には、上方（図１１における右手前側）に突出する複数のコネクタ側嵌合壁部５２が形成されている。コネクタ側嵌合壁部５２は、図１１における上下方向に延設されると共に、図１１における左右方向にも延設されており、本体部３０の補強も兼ねるようになっている。このコネクタ側嵌合壁部５２は、コネクタハウジング１５をケース１３に組み付ける際に、上述したケース側嵌合壁部５１と摺接可能になっている。コネクタ側嵌合壁部５２の摺接面は、図１１における左右方向に沿う面（ケース１３のうち弾性ロック片２５が形成された対向する二面に平行な面）及び、上下方向に沿う面となっている。
【００４０】
図１４に示すように、ケース１３とコネクタハウジング１５とを組み付ける工程においては、両嵌合壁部５１，５２は、互いに相手側に向けて延びるように配設されている。
【００４１】
図１６に示すように、ケース１３とコネクタハウジング１５とを組み付けた状態においては、ケース側嵌合壁部５１と、コネクタ側嵌合壁部５２のうち図１６における上下方向に延設されたものとは、図１６における左右方向から互いに当接するようになっている。また、図１７に示すように、ケース側嵌合壁部５１のうち図１７における左右方向に曲げ形成された部分は、コネクタ側嵌合壁部５２のうち図１７において紙面を貫通する方向に延設されたものと、図１７における左右方向から当接するようになっている。
【００４２】
また、図１６において、ケース側嵌合壁部５１のうち、右上端に位置するものと、左上端に位置するものとを除いたものは、図１６における左右方向について両側からコネクタ側嵌合壁部５１に摺接するようになっている。
【００４３】
続いて、本実施形態の作用、効果について説明する。まず、回路構成体１２をコネクタハウジング１５に組み付ける。図１２に示すように、コネクタハウジング１５のガイドレール３１内に、回路構成体１２の回路基板３９の両端縁部を挿入する。組み付け工程が進行して、図１３に示すように、延出部３３の先端が受板部３５に達すると、延出部３３と受板部３５とを摺接させながら回路構成体１２をさらに挿入する。すると、受板部３５に案内されて、延出部３３が挿通孔３４内に挿入される。組み付けが進行すると、コネクタハウジング１５の弾性係合部３６がバスバー３２と当接し、回路基板３９の裏面側に弾性撓み変形する。
【００４４】
図１４に示すように、回路構成体１２がコネクタハウジング１５に対して正規位置に組み付けられた状態では、弾性係合部３６が復帰変形し、弾性係合部３６の係合突部３７が回路構成体１２の係合孔３８に係止する。このとき、延出部３３が挿通孔３４と接しているから延出部３３は挿通孔３４の内壁面に支持されることで、回路構成体１２が弾性係合部３６から逃げる方向に撓み変形することを防止できる。この結果、回路構成体１２は、その下端縁が、コネクタハウジング１５と一体に形成された弾性係合部３６により、コネクタハウジング１５に固定される。
【００４５】
続いて、リブ４３を加熱溶融して圧潰する。すると、リブ４３は、延出部３３と密着する。そして、延出部３３は、リブ４３と受板部３５との間に挟み付けられる。さらに、リブ４３は、延出部３３に形成された係合凹部４４内に膨出することで接触して係合する。これにより、バスバー３２は、コネクタハウジング１５に固定される。
【００４６】
その後、回路構成体１２を組み付けたコネクタハウジング１５を、図１４に示すようにして、ケース１３内に収容する。収容作業の途中において、ケース側嵌合壁部５１と、コネクタ側嵌合壁部５２とが摺接し始める。さらに収容作業が進行すると、コネクタハウジング１５のロック突部２７に形成された案内斜面５０と、とケース１３の弾性ロック片２５とが当接し、弾性ロック片２５が案内斜面５０に案内されて外方に弾性撓みする。さらに収容作業が進行すると、弾性六編２５が復帰変形し、ロック突部２７が弾性ロック片２５のロック凹部２６内に係合することで、コネクタハウジング１５とケース１３とが組み付けられる。これにより、回路構成体１２の左右両側縁及び上端縁がケース１３により覆われる。
【００４７】
弾性ロック片２５は、撓み変形可能なので、この弾性ロック片２５が形成されたケース１３の対向する二面に交差する方向（図１７における左右方向）に、コネクタハウジング１５が、弾性ロック片２５を支点として揺動することが懸念される。
【００４８】
上記の点に鑑み、本実施形態では、ケース１３及びコネクタハウジング１５とに、それぞれケース側嵌合壁部５１と、コネクタ側嵌合壁部５２とを形成する構成とした。ケース１３とコネクタハウジング１５とが組み付けられた状態においては、図１６に示すように、ケース側嵌合壁部５１と、コネクタ側嵌合壁部５２のうち図１６における上下方向に延設されたものとは、図１６における左右方向から互いに当接するようになっている。また、図１７に示すように、ケース側嵌合壁部５１のうち図１７における左右方向に曲げ形成された部分は、コネクタ側嵌合壁部５２のうち図１７における紙面を貫通する方向に延設されたものと、図１７における左右方向から当接するようになっている。これにより、ケース１３又はコネクタハウジング１５が、弾性ロック片２５及びロック突部２７の係合部分を支点として、図１７における左右方向及び、図１６における左右方向について、互いに揺動するように変位することを防止できる。
【００４９】
続いて、ケース１３を下側にすると共にコネクタハウジング１５を上側にした姿勢で、コネクタハウジング１５の注入口１８から液状の充填材１６を所定量注入し、固化する。
【００５０】
充填材１６が固化したら、フード部１４内に相手方コネクタを嵌合する。その後、コネクタハウジング１５のうちフード部１４が形成された側からカバー１７を組み付ける。すると、ケース１３のロック爪２１と、カバー１７のロック爪受け部２２とが当接し、ロック爪２１が弾性変形した後に復帰変形し、ロック爪２１とロック爪受け部２２とが弾性的に係合することで、カバー１７とコネクタハウジング１５とが組み付けられる。
【００５１】
以上説明したように、本実施形態によれば、ケース１３にはケース側嵌合壁部５１が設けられており、コネクタハウジング１５にはコネクタ側嵌合壁部５２が設けられている。ケース１３とコネクタハウジング１５とを組み付ける工程においては、両嵌合壁部５１，５２は互いに相手側に向けて延びるように配されており、両嵌合壁部５１，５２同士は、図１６における左右方向、及び、図１７における左右方向から摺接するようになっている。この結果、ケース１３とコネクタハウジング１５とが組み付けられた状態においては、両嵌合壁部５１，５２同士が互いに支持しあうことで、ケース１３及びコネクタハウジング１５が、弾性ロック片２５及びロック突部２７の係合部分を支点として、図１６における左右方向、及び、図１７における左右方向について、互いに揺動するように変位することを防止できる。
【００５２】
さらに、ケース側嵌合壁部５１は、図１６における右端部及び左上部に配されたものを除いて、コネクタ側嵌合壁部５２と幅方向両側から当接しているから、片側のみで摺接する場合に比べて、一層確実に、ケース１３又はコネクタハウジング１５の揺動変位を防止できる。
【００５３】
また、コネクタ側嵌合壁部５２は、縦横に（図１１における上下方向及び左右方向に）延びて形成されているから、コネクタハウジング１５の本体部３０を補強できる。
【００５４】
また、ケース１３と組み付けられる第１部材をコネクタハウジング１５としたことにより、第１部材とコネクタとを、別体に形成する場合に比べて、部品点数を削減できる。
【００５５】
そして、本実施形態によれば、相手方コネクタの挿抜に起因して、コネクタハウジング１５とケース１３とに大きな力が加わる場合でも、両部材が、お互いの組み付け部分を支点として揺動するように相対変位することを防止できる。
【００５６】
＜他の実施形態＞
本発明は上記記述及び図面によって説明した実施形態に限定されるものではなく、例えば次のような実施形態も本発明の技術的範囲に含まれる。
【００５７】
（１）本実施形態では、弾性ロック片２５はケース１３に設けられる構成としたが、コネクタハウジング１５に設けられる構成としてもよい。
【００５８】
（２）本実施形態では、弾性ロック片２５にロック凹部２６が設けられる構成としたが、弾性ロック片２５にロック突部２６が設けられる構成としてもよい。
【００５９】
（３）本実施形態では、ケース側嵌合壁部５１はコネクタハウジング側嵌合壁部５２と、図１６における両側に摺接する構成としてが、これに限られず、コネクタハウジング側嵌合壁部５１の片側のみに摺接する位置に設けられていてもよい。
【００６０】
（４）延出部３３にはヒューズ等の電子部品が接続される構成としてもよい。
【００６１】
（５）弾性ロック片２５が、ケース１３のうち図２における左右方向について対向する側面に形成される構成を参考例としてもよい。
【図面の簡単な説明】
【００６２】
【図１】本発明の一実施形態に係る電気接続箱の斜視図
【図２】電気接続箱の正面図
【図３】図２におけるＡ−Ａ線断面図
【図４】図２におけるＢ−Ｂ線断面図
【図５】回路構成体１２を示す斜視図
【図６】コネクタハウジングと回路構成体とを組み付けた状態を示す正面図
【図７】図６におけるＣ−Ｃ線断面図
【図８】コネクタハウジングを回路構成体とを組み付けた状態を示す背面図
【図９】コネクタハウジングとケースとを組み付けた状態を示す側面図
【図１０】図９におけるＥ−Ｅ線断面図
【図１１】コネクタハウジングと回路構成体とを組み付ける前の状態を示す斜視図
【図１２】コネクタハウジングと回路構成体との組み付け作業の途中状態を示す斜視図
【図１３】コネクタハウジングと回路構成体とを組み付けた状態を示す斜視図
【図１４】コネクタハウジングとケースとを組み付ける前の状態を示す斜視図
【図１５】コネクタハウジングとケースとを組み付けた状態を示す正面図
【図１６】図１５におけるＤ−Ｄ線断面図
【図１７】コネクタハウジングとケースとを組み付けた状態を示す側断面図
【符号の説明】
【００６３】
１０…電気接続箱
１１…ハウジング
１２…回路構成体
１３…ケース（第２部材）
１５…コネクタハウジング（第１部材）
２５…弾性ロック片
２６…ロック凹部
２７…ロック突部
３２…バスバー
３３…延出部
３４…挿通孔
３９…回路基板
５０…案内斜面
５１…ケース側嵌合壁部
５２…コネクタハウジング側嵌合壁部
【図１】
0004764176.tif 000002
【図２】
0004764176.tif 000003
【図３】
0004764176.tif 000004
【図４】
0004764176.tif 000005
【図５】
0004764176.tif 000006
【図６】
0004764176.tif 000007
【図７】
0004764176.tif 000008
【図８】
0004764176.tif 000009
【図９】
0004764176.tif 000010
【図１０】
0004764176.tif 000011
【図１１】
0004764176.tif 000012
【図１２】
0004764176.tif 000013
【図１３】
0004764176.tif 000014
【図１４】
0004764176.tif 000015
【図１５】
0004764176.tif 000016
【図１６】
0004764176.tif 000017
【図１７】
0004764176.tif 000018